(57)【要約】【課題】カルテの受け渡しを簡便にすることができるカルテ受け渡しトレイを提供する。【解決手段】診察室と診察室以外の場所とを隔てる壁に取付けるカルテ受け渡しトレイ１０であって、診察室以外の場所側から診察室側にカルテが滑り落ちるように傾斜した第１トレイ１１と、診察室側から診察室以外の場所側にカルテが滑り落ちるように傾斜した第２トレイ１２と、を備える。【選択図】図１
0003223474.tif 000002
【実用新案登録請求の範囲】
【請求項１】
診察室と前記診察室以外の場所とを隔てる壁に取付けるカルテ受け渡しトレイであって、
前記診察室以外の場所側から前記診察室側にカルテが滑り落ちるように傾斜した第１トレイと、
前記診察室側から前記診察室以外の場所側にカルテが滑り落ちるように傾斜した第２トレイと、
を備えることを特徴とするカルテ受け渡しトレイ。
【請求項２】
前記第１トレイは、水平方向から所定の角度に傾斜していること、を特徴とする請求項１に記載のカルテ受け渡しトレイ。
【請求項３】
前記第２トレイは、水平方向から所定の角度に傾斜していること、を特徴とする請求項１に記載のカルテ受け渡しトレイ。
【請求項４】
前記壁に本体枠と化粧枠とを設置し、設置した前記本体枠または／および前記化粧枠に前記第１トレイおよび前記第２トレイを取付けることを特徴とする請求項１〜３のいずれか１つに記載のカルテ受け渡しトレイ。
【請求項５】
前記第１トレイおよび前記第２トレイは、下部に切り欠きを有することを特徴とする請求項１〜４のいずれか１つに記載のカルテ受け渡しトレイ。
【考案の詳細な説明】
【技術分野】
【０００１】
本発明は、診察室と診察室以外の場所の間に設置されるカルテ受け渡しトレイに関する。
【背景技術】
【０００２】
近年、医療現場では、一人の患者が複数の診療を受けることも多く、複数の診療科を備える総合病院に多くの患者が集まり、診察を受けるまでに長時間待たされるという現状があった。
【０００３】
このような問題を解決する一案として、経営主体の異なる診療所を複数備える医療複合施設についての発明が開示されている（特許文献１参照）。
【先行技術文献】
【特許文献】
【０００４】
【特許文献１】特開2002-276177号公報
【考案の概要】
【考案が解決しようとする課題】
【０００５】
上記特許文献１に記載された医療複合施設や一般的な病院において、医師が患者を診察する場合、診察室で待機している医師は、診察室に入ってくる看護師や事務員から診察順に患者のカルテを受け取ることが多く、カルテが医師の手に渡るまで多くの人手がかかり、また診察室のドアの開け閉め等の手間を必要とすることが多い。
【０００６】
本発明は、上記に鑑みてなされたものであって、カルテの受け渡しを簡便にするカルテ受け渡しトレイを提供することを目的とする。
【課題を解決するための手段】
【０００７】
上述した課題を解決し、目的を達成するために、本発明は、診察室以外の場所側から診察室側にカルテが滑り落ちるように傾斜した第１トレイと、診察室側から診察室以外の場所側にカルテが滑り落ちるように傾斜した第２トレイと、を備えることを特徴とする。
【考案の効果】
【０００８】
本発明によれば、診察室の出入り口を開け閉めせずにカルテを受け渡しできるため、カルテの受け渡しを簡便にすることができるという効果を奏する。
【図面の簡単な説明】
【０００９】
【図１】本実施例にかかる壁に取り付けたカルテ受け渡しトレイ１０の斜視図の一例である。
【図２】本実施例にかかるカルテ受け渡しトレイ１０の断面図の一例である。
【図３】本実施例にかかるカルテ受け渡しトレイ１０を構成する第１トレイ１１（および第２トレイ１２）の平面図および側面図の一例である。
【図４】本実施例にかかるカルテ受け渡しトレイ１０を構成する本体枠１３の平面図および側面図の一例である。
【図５】本実施例にかかるカルテ受け渡しトレイ１０を構成する化粧枠１４の平面図および側面図の一例である。
【考案を実施するための形態】
【００１０】
以下、添付図面を参照して本発明にかかるカルテ受け渡しトレイ１０の実施の形態を詳細に説明する。なお、以下に示す実施例は本発明の実施の形態の一例であり、本発明はこれらの実施例に限定されるものではない。
【００１１】
図１は、本実施例にかかる壁に取り付けたカルテ受け渡しトレイ１０の斜視図の一例である。図１に示すように、カルテ受け渡しトレイ１０は、既存の壁や間仕切り用の壁パネル、パーティション等（以下、壁２０という）の開口部に設置する。カルテ受け渡しトレイ１０は、診察室以外の場所側から診察室側にカルテが滑り落ちるように傾斜した第１トレイ１１と、診察室側から診察室以外の場所側にカルテが滑り落ちるように傾斜した第２トレイ１２と、本体枠１３と、化粧枠１４とを備える。診察室以外の場所とは、例えば廊下や待合室等である。
【００１２】
図２は、本実施例にかかるカルテ受け渡しトレイ１０の断面図の一例である。図２に示すように、壁２０の開口部に本体枠１３と化粧枠１４とを設置し、本体枠１３（および化粧枠１４）に、第１トレイ１１と第２トレイ１２を取付ける。第１トレイ１１は、水平方向から角度ａ、具体的には３０°前後の角度に、診察室以外の場所側から診察室側にカルテが滑り落ちるように傾斜させて取付ける。第２トレイ１２は、水平方向から角度ｂ、具体的には３０°前後の角度に、診察室側から診察室以外の場所側にカルテが滑り落ちるように傾斜させて取付ける。角度ａ、角度ｂについては、カルテの厚さや素材、トレイの表面の滑りやすさ等を考慮して変更してもよい。図２では、第１トレイ１１の下部に第２トレイ１２を取付けているが、第２トレイ１２の下部に第１トレイ１１を取付けてもよい。
【００１３】
第１トレイ１１の最下部Ａは、壁２０から距離Ｌ１だけ離した位置に設置し、第２トレイ１２の下面の最上部Ｂは、壁２０から距離Ｌ２だけ離した位置に設置し、Ｌ１＜Ｌ２とする。このような位置に第１トレイ１１および第２トレイ１２を配置することによって、医師はカルテを第１トレイ１１から容易に取り出すことができ、カルテを第２トレイ１２に容易に置くことができる。一例として、Ａ４程度のカルテを受け渡しする場合には、第１トレイ１１の最下部Ａを壁２０から４０ｍｍ程度離した位置に設置し、第２トレイ１２の最上部Ｂを壁２０から９５ｍｍ程度離した位置に設置する。
【００１４】
図２において、壁２０の開口部は、一例として高さ３１５ｍｍ×幅２５５ｍｍ程度とし、本体枠１３は、開口部を縁取る額縁部と、壁２０内部を支える枠（壁の内部方向に立ち上がった立ち上がり部）とからなる。化粧枠１４は、開口部を縁取る額縁部と、壁２０内部を支える枠（壁の内部方向に立ち上がった立ち上がり部）とからなる。本体枠１３の立ち上がり部と化粧枠１４の立ち上がり部は、一部または全部が重なるように設置する。
【００１５】
第１トレイ１１と第２トレイ１２は、本体枠１３（および化粧枠１４）に固定して取付ける。第１トレイ１１と第２トレイ１２を本体枠１３（および化粧枠１４）に取付ける方法としては、接着剤で固定するほか、第１トレイ１１と第２トレイ１２を本体枠１３（および化粧枠１４）にネジ止めしてもよい。ネジ止めすることによって、第１トレイ１１と第２トレイ１２の傾斜する角度を微調整することも可能になる。
【００１６】
図３は、本実施例にかかるカルテ受け渡しトレイ１０を構成する第１トレイ１１（および第２トレイ１２）の平面図および側面図の一例である。例えば、Ａ４程度のカルテを受け渡しする場合には、トレイの大きさは一例として縦幅（Ｗ１）３０５ｍｍ×横幅（Ｗ２）２４０ｍｍ程度、高さ（Ｈ）３０ｍｍ程度である。またトレイの下部には切り欠き３１があり、その大きさは、一例として上面（Ｄ１）８０ｍｍ、下面（Ｄ２）１００ｍｍ、高さ（Ｄ３）３０ｍｍの台形である。トレイの厚み（Ｔ１）は５ｍｍ程度であり、トレイの上部と切り欠き３１は、立ち上がった部材はない。このような構成を採ることにより、カルテをトレイに入れやすく、カルテをトレイから容易に取り出しやすくなる。また切り欠き３１を設けることによって、複数のカルテが第１トレイ１１に入れられた場合であっても、先に入れられた一番下のカルテを容易に取り出すことができる。
【００１７】
図４は、本実施例にかかるカルテ受け渡しトレイ１０を構成する本体枠１３の平面図および側面図の一例である。本体枠１３は、壁２０の開口部にはめ込む枠であり、上述した通り、額縁部分と壁２０の内部に立ち上がる立ち上がり部分とからなる。図４に示す本体枠１３の寸法は、例えば額縁部分の幅（Ｄ４）は、２３ｍｍ程度であり、額縁部分の厚み（Ｔ２）は４ｍｍ程度であり、立ち上がり部分の厚み（Ｔ３）は３ｍｍ程度である。
【００１８】
本体枠１３の立ち上がり部の長さ（Ｌ３）は、壁２０の厚さに応じて変えてもよい。例えば、壁厚が２５ｍｍ〜４０ｍｍの場合は、立ち上がり部の長さ（Ｌ３）を２５ｍｍとし、壁厚が４０ｍｍ〜７５ｍｍの場合は、立ち上がり部の長さ（Ｌ３）を４０ｍｍとする。また壁厚が７５ｍｍ〜１４５ｍｍの場合は、立ち上がり部の長さ（Ｌ３）を７５ｍｍとする。
【００１９】
図５は、本実施例にかかるカルテ受け渡しトレイ１０を構成する化粧枠１４の平面図および側面図の一例である。化粧枠１４は、壁２０の開口部に本体枠１３をはめ込む前に、はめ込む枠であり、上述した通り、額縁部分と壁２０の内部に立ち上がる立ち上がり部分とからなる。図５に示す化粧枠１４の寸法は、例えば額縁部分の幅（Ｄ４）は、２３ｍｍ程度であり、額縁部分の厚み（Ｔ２）は４ｍｍ程度であり、立ち上がり部分の厚み（Ｔ３）は３ｍｍ程度である。
【００２０】
化粧枠１４の立ち上がり部の長さは、本体枠１３と同様に、壁２０の厚さに応じて変えてもよい。例えば、壁厚が２５ｍｍ〜４０ｍｍの場合は、立ち上がり部の長さ（Ｌ３）を２５ｍｍとし、壁厚が４０ｍｍ〜７５ｍｍの場合は、立ち上がり部の長さ（Ｌ３）を４０ｍｍとする。また壁厚が７５ｍｍ〜１４５ｍｍの場合は、立ち上がり部の長さ（Ｌ３）を７５ｍｍとする。
【００２１】
化粧枠１４は、本体枠１３をはめ込む前に、壁２０の開口部にはめ込むため、化粧枠１４の開口部の長さ（Ｌ６）は、壁２０の開口部の幅から左右の立ち上がり部分の厚み（Ｔ３×２）を引いた長さとなる。化粧枠１４の開口部の長さ（Ｌ７）も同様に、壁２０の開口部の高さから上下の立ち上がり部分の厚み（Ｔ３×２）を引いた長さとなる。
【００２２】
本体枠１３は、化粧枠１４をはめ込んだ後に、壁２０の開口部にはめ込むため、図４での本体枠１３の開口部の長さ（Ｌ４）は、化粧枠１４の開口部の幅から左右の立ち上がり部分の厚み（Ｔ３×２）を引いた長さとなる。本体枠１３の開口部の長さ（Ｌ５）も同様に、化粧枠１４の開口部の高さから上下の立ち上がり部分の厚み（Ｔ３×２）を引いた長さとなる。
【００２３】
このようなカルテ受け渡しトレイ１０を診察室と診察室以外の場所を隔てる壁２０に設置することにより、診察室の出入り口を開閉することなく、カルテを医師に届けることができ、診察の終わった患者のカルテを診察室から取り出すことができる。また、カルテ受け渡しトレイ１０を医師が診察する場所の近傍に配置することによって、医師がいちいち立ち上がったり、看護師がカルテを運んだりすることなく、医師の手元にカルテが届き、さらにカルテの運搬の手間をさらに削減することができる。
【００２４】
なお、本発明は、上述した実施例そのままに限定されるものではなく、実施段階ではその要旨を逸脱しない範囲で部材を変形して具体化することができる。また、上述した実施例に開示されている複数の部材は適宜組み合わせてもよく、実施例に示される部材からいくつかの部材を削除してもよい。
【符号の説明】
【００２５】
１０…カルテ受け渡しトレイ、１１…第１トレイ、１２…第２トレイ、１３…本体枠、１４…化粧枠、２０…壁
【図１】
0003223474.tif 000003
【図２】
0003223474.tif 000004
【図３】
0003223474.tif 000005
【図４】
0003223474.tif 000006
【図５】
0003223474.tif 000007